(57)【要約】      （修正有）【課題】外径の大きなボタンにおいても好適な荷重で操作可能とし、浸入水に対して防水機能をそなえた押しボタンスイッチを提供する。【解決手段】制御パネル３の裏側に、スイッチ取付け部材４を介して組み込まれるスイッチ本体１０と、このスイッチ本体のスイッチ軸に嵌着され、制御パネルの装着窓孔３ａに嵌め合わせ止着されるスイッチ化粧部材２のスイッチ化粧部材孔Ｃから制御パネルの表側に突出される押しボタン１とを備え、押しボタンの押し操作によってスイッチ本体の電路の開閉などが行われる押しボタンスイッチであって、制御パネルの裏側に位置する押しボタンの外周部に溝形状の浸入水堰止めフランジ１ｂを備え、スイッチ化粧部材の円筒部２ａが浸入水堰止めフランジ１ｂの溝内に入り込む事によって、浸入水の浸入経路を迷路にする構成とした。【選択図】図１
0003185197.tif 000002
【実用新案登録請求の範囲】
【請求項１】
電気機器類の制御パネルの裏側に、少なくともスイッチ取付け部材を介して組み込まれるスイッチ本体と、前記制御パネルの装着孔に嵌め合わせ止着されるスイッチ化粧部材に開口されているボタン突出孔から前記制御パネルの表側に突出されるボタンとを備え、前記ボタンの押し操作によって前記スイッチ本体の電路の開閉が行われるように構成されている押しボタンスイッチであって、前記制御パネルの裏側に位置するボタンの軸方向中間の外周部に溝形状の浸入水堰止めフランジを備え、さらに、スイッチ化粧部材の円筒部が、前記ボタンの浸入水堰止めフランジの溝内に入り込むように構成されていることを特徴とする押しボタンスイッチ。
【請求項２】
前記スイッチ化粧部材とスイッチ取付けベースの間に制御パネルを挟み、前記スイッチ化粧部材の雄螺子と前記スイッチ取付けベースの雌螺子によって締付け、制御パネルに固定する構成において、制御パネルの内側に位置するスイッチ化粧部材の円筒部の端部に複数の切欠き部を設けてなることを特徴とする請求項１記載の押しボタンスイッチ。
【考案の詳細な説明】
【技術分野】
【０００１】  本考案は、電気機器類の制御パネルなどに取付けられて、電源のＯＮ／ＯＦＦ切換えなどに用いられる押しボタンスイッチの取付け構造に係り、制御パネルの表側に降りかかる水、塵埃が当該裏側に組み込まれているスイッチ本体内部に浸入することを防ぐとともに、スイッチの見栄えを損なうことなく取付けできるようにした構造に関する。
【背景技術】
【０００２】  電気機器類の電源のＯＮ／ＯＦＦ切替えなどとして用いられる押しボタンスイッチは、一般的に、制御パネルの裏側に位置させてスイッチ本体が組み込まれる。そして、スイッチ本体のハウジングから軸方向に突出するスイッチ軸に、摺動（移動）可能に押しボタンを嵌合させ、制御パネルに開口されているボタン突出孔からその表側に突出させて、押しボタンの押し操作によってスイッチ本体の電路の開閉切換えなどが行えるように構成されている。【０００３】  電気機器類には工事現場など屋外で使用される場合があるため、制御パネルには外部と遮断するための扉が設けてある。しかし、オペレータが制御パネルで操作した後に扉を閉め忘れる事も多いため、風雨が制御パネルに直接あたる場合がある。そのために、扉が開いた状態においても信頼性のある防水・防塵性能が求められる。【０００４】  そこで、従来では、押しボタンの後端周縁に外向きに張り出させたフランジを設けるとともに、フランジの外周縁に環状リブを設けるなどによって、ボタンとボタン突出孔との間の隙間から器体内に浸入した浸入水の一部が、スイッチ本体に流れ触れることを防ぐように構成されている押しボタンスイッチの防水構造が提案されている。（例えば、特許文献１などを参照）。【０００５】  ところで、特許文献１に記載の従来技術は、同文献１の図１および図２、段落００１７に示されているように、穴８と釦９の隙間から器体７内へ浸入した水は、防水壁１３にさえぎられて、軸支持部１２に至るのを防止できるので、浸入水がスイッチ枠体１６へ流れることを防ぐ防水効果の得られることがわかる。【０００６】  また、特許文献２に記載の従来技術は、同文献２の図３、段落０００７に示されているように、ボタンとボタン突出孔との隙間から器体カバー内に水が浸入してきた場合、およびスイッチ化粧部材と装着窓孔の孔縁周りとの当接部分から浸入してきた浸入水に対しても防水機能を兼ね備えていて、さらに改良された防水構造が提案されている。【０００７】  また、操作パネル（制御パネル）への取付け方法の代表例が特許文献３に記載されている。同文献３の図２、段落００１８に記述されているように操作ケース１の円筒部１ｂを操作パネル４の取付け孔に挿通し、円筒部１ｂにナット５を螺着して締上げることで、操作パネル４に操作ケース１を固定し、その後、操作パネル４の裏面側から円筒部１ｂにスイッチケース２を装着する構造が提案されている。【０００８】  また、特許文献３に記載の従来技術は、同文献３の図３、段落００２５に記述されているように操作プランジャ３におけるプランジャ本体３０の外周にはゴム製のシーリング３６が嵌着され、このシーリング３６が操作ケース１における円筒部１ｂの内周面に摺接することで、操作ケース１内への液体および塵埃の浸入が阻止されている。
【先行技術文献】
【特許文献１】特開２００７−１８８７６１号公報（段落番号００１７、および図１、図２参照）
【特許文献２】特開２０１０−１２９１９５号公報（段落番号０００７、および図３参照）
【特許文献３】特開１９９９−１１１０９６号公報（段落番号００１８、００２５および図２、図３参照）
【考案の概要】
【考案が解決しようとする課題】
【０００９】  特許文献１、２に記載されている従来技術では、雨水が押しボタン周りに降り注ぐと、ボタンとボタン突出孔との隙間の大きさによっては、浸入する雨水の勢いが強く、量も多くなるので、このような状況下での防水効果には限界があった。また特許文献３に記載されている事例では、ゴム製のパッキンを使用しているので、前述の状況下においても防水効果が期待できる。【００１０】  図６〜８は、押しボタンスイッチを制御パネルに装着する従来の実施例を図示している。図６では、螺子締めの際に、スイッチ化粧部材のパネル表側に位置する部分を掴んで締付け可能な形状にしている。図７では、制御パネルの裏側に位置するスイッチ取付けベースを、制御パネルの表側から螺子孔を通して小螺子で締付け、スイッチ化粧部材を制御パネルの表側からスナップフィットにより止め、小螺子部分を目隠しする構成にしている。図６、７は、いずれもパネル表側に位置するスイッチ化粧部材の大きさなどの形状的な制約が多い。図８の実施例では、バネクリップを使用してパネルに固定する構成で、パネル表側に位置するスイッチ化粧部材の大きさなどの形状的な制約が少ないものの、スイッチ本体を制御パネルの孔より小さくする事が必要である。【００１１】  そこで、本考案は、前記課題を解消するために考案されたものであり、押しボタンとスイッチ化粧部材との隙間からの浸入水に対する防水性とスイッチの操作性を改善するとともに、スイッチ化粧部材のパネル表側に位置する部分のデザイン性を損なうことなく、制御パネルに取付け可能な構造を提供することにある。
【課題を解決するための手段】
【００１２】  前記課題を解決するために、本考案では、電気機器類の制御パネルの裏側に、スイッチ取付け部材を介して組み込まれるスイッチ本体と、このスイッチ本体のスイッチ軸に摺動（移動）可能に嵌合され、前記制御パネルの装着窓孔に嵌合して止着されるスイッチ化粧部材のボタン突出孔から前記制御パネルの表側に突出されるボタンとを備え、前記ボタンの押し操作によって前記スイッチ本体の電路の開閉などが行われるように構成されている押しボタンスイッチであって、前記制御パネルの裏側に位置する前記ボタンの外周部に溝形状の浸入水堰止めフランジを備える。【００１３】  スイッチ取付けベースは、制御パネルの孔に表側より挿入されたスイッチ化粧部材と螺着されてパネルに固着される。この際、スイッチ化粧部材の円筒部の端部には、切欠き部が複数設けてあり、この切欠き部を利用してスイッチ取付けベースとの螺子を締上げることが可能な構造としている。【００１４】  スイッチ本体の押しボタン部分が、スイッチ化粧部材孔を貫通して、制御パネルの表側に操作可能なところに位置し、スイッチ本体がスイッチ取付けベースに固定嵌合される。それと共に、スイッチ化粧部材の円筒部が、前記押しボタンの浸入水堰止めフランジの溝内に適度な隙間を保って入り込む。
【考案の効果】
【００１５】  本考案の押しボタンスイッチの取付け構造によれば、制御パネル表側に位置するスイッチ化粧部材の露出部分が円形のデザインで、治具などの掴みどころのない形状であっても、円筒部端部の切欠き部を利用して螺子を締上げることができる。このため、制御パネルの表側に露出させる化粧部材をパネルに合った一体感のあるデザインにすることができる。また、ナット等の別部品も不要で安価な構成にすることが可能になっている。【００１６】  本考案の押しボタンスイッチの防水構造によれば、押しボタンとスイッチ化粧部材孔との隙間から浸入してきた浸入水の勢いを、押しボタンの浸入水堰止めフランジとスイッチ化粧部材の円筒部によって構成された迷路構造によって止め、浸入水がスイッチ本体内部へ浸入することを防止することができる。この事により、押しボタンと摺接するパッキン状の防水部品が不要なため、安価な構成にすることが可能であり、また押しボタンと摺接する部品がないので、押しボタンスイッチを好適な操作荷重にすることができる。
【図面の簡単な説明】
【００１７】
【図１】本考案の実施例に係る押しボタンスイッチを制御パネルに取付けた状態の縦断側面図で、押しボタンが押し操作される前の突出状態を示す図
【図２】押しボタンが押し操作されたときの没入状態を示す図
【図３】浸入水に対する堰止め効果の説明図
【図４】スイッチ化粧部材の斜視図
【図５】スイッチ取付けベースの斜視図
【図６】パネル表側に位置するスイッチ化粧部材の外周を摘んで、スイッチ取付けベースとの螺子を締付ける、従来の取付け実施例。
【図７】制御パネルの裏側に位置するスイッチ取付けベースを、制御パネルの表側から螺子孔を通して小螺子で締付け、小螺子部分をスイッチ化粧部材で目隠しした従来の取付け実施例。
【図８】スイッチ本体とスイッチ化粧部材とが一体化されたスイッチを、制御パネルの孔の表側から挿入して、バネクリップによって止める従来の取付け実施例。
【考案を実施するための形態】
【実施例】
【００１８】  以下、本考案の実施形態について、適宜図面を参照しながら詳細に説明する。
図１は、本考案の押しボタンスイッチＡを制御パネル３に取付けた状態で示す縦断側面図であり、図４は、スイッチ化粧部材の斜視図、図５は、スイッチ取付け部材の斜視図である。【００１９】  押しボタンスイッチＡは、産業用電気機器の制御パネル３に他のスイッチ、計器と共に取付けられて使用される。本実施形態では、押しボタンスイッチＡの押し操作により、主電源のＯＮ／ＯＦＦを交互に切換えるようにしている。この産業用電気機器は屋外で使用される事が多いため、制御パネル３には開閉可能なカバーが設けられている。  ここでは、カバーを閉め忘れたために、風雨が直接制御パネルに当たる状況を想定して防水機能を説明する。【００２０】＜押しボタンスイッチの構成＞
図１、および図４、図５に示すように、押しボタンスイッチＡは、スイッチ本体１０と、この１０を制御パネル３に装着するためのスイッチ化粧部材２、スイッチ取付けベース４とを備えて構成されている。押しボタン１は、制御パネル３の表側に露出して押し操作可能とし、押し軸１ｃがプッシュスイッチ５のプッシュ軸５ａと嵌着されてプッシュスイッチのＯＮ／ＯＦＦの切替えができるように構成している。【００２１】  図示していないが、周知の技術により、プッシュスイッチ５の電気端子は、スイッチ基板８の配線パターンに電気接続され、発光ダイオード７と共に電気回路を構成している。プッシュスイッチ５がＯＮ状態の時に発光ダイオード７が発光して、押しボタン１の表面にある文字を透過し、スイッチがＯＮ状態にある事を明確にするよう構成されている。【００２２】  スイッチボディ６は、合成樹脂材料の成形品であり、スイッチ基板８を包み込むと同時に、スイッチボディ６の円筒部６ａが押しボタン１の作動が可能なように押しボタン１の円筒部１ａと移動可能に嵌合されている。また、スイッチボデイ６にはカバー９が嵌着されているので、スイッチ本体の内部に水や塵埃が容易に入らない構成になっている。【００２３】＜押しボタンスイッチの取付け構成＞
スイッチ化粧部材２が、制御パネル３のスイッチ取付け孔３ａに制御パネル３の表側から挿入され、制御パネル３の裏面にあるスイッチ取付けベース４と共に制御パネル３を挟み込み、Ｂ部の螺子で締付けされ、それぞれが制御パネル３に固定される。その際、仮締め時に図４に示すスイッチ化粧部材２の円筒部２ａの端部がスイッチ取付けベース４の雌螺子部４ｂから突出しているので、前記円筒部２ａの端部の切欠き部２ｃに治具を嵌合させて締付ける事が可能である。【００２４】  制御パネル３に固定されたスイッチ取付けベース４は、合成樹脂成形部品であり、フック付き樹脂片４ａが４箇所設けてある。スイッチ本体１０の押しボタン１を制御パネル３の裏側からスイッチ化粧部材孔Ｃに挿入して押し込むと、フック付き樹脂片４ａがスイッチボディ６の爪部６ｂと当接し、さらに押し込むとフック付き樹脂片４ａが撓んでスイッチボディ６の爪部６ｂと前記フック付き樹脂片４ａのフックが掛って、スイッチ本体１０がスイッチ取付けベース４に嵌着される。【００２５】＜浸入水堰止めフランジの構成＞
押しボタンスイッチＡを制御パネル３に取付けた図１に示されているように、押しボタン１の円周上に設けた浸入水堰止めフランジ１ｂの溝には、スイッチ化粧部材２の円筒部２ａが内外径に適度な隙間を保って入り込む。【００２６】［作用説明］
つぎに、以上のように構成されている実施形態に係る押しボタンスイッチＡの防水構造について説明する。図３は、スイッチ化粧部材２のスイッチ化粧部材孔Ｃと押しボタン１の隙間から浸入してきた浸入水の流れを矢印破線で図示してある。図示のように浸入水堰止めフランジ１ｂの溝にはスイッチ化粧部材２の円筒部２ａが入り込んでいるので、浸入水の流れが迷路になり、浸入水の水流を抑えることが出来る。わずかに漏れ出た浸入水は、押しボタン１の突出部１ｄに誘導されて落下するので、スイッチ本体内部への浸入水を確実に防止する事ができる。
【符号の説明】
【００２８】Ａ      押しボタンスイッチ
Ｂ      螺子部
Ｃ      スイッチ化粧部材孔
１      押しボタン
１ａ    円筒部
１ｂ    浸入水堰止めフランジ
１ｃ    押し軸
１ｄ    突出部
２      スイッチ化粧部材
２ａ    円筒部
２ｂ    雄螺子部
２ｃ    切欠き部
３      制御パネル
３ａ    スイッチ取付け孔
４      スイッチ取付けベース
４ａ    フック付き樹脂片
４ｂ    雌螺子部
５      プッシュスイッチ
５ａ    プッシュ軸
６      スイッチボディ
６ａ    円筒部
６ｂ    爪部
７      発光ダイオード
８      スイッチ基板
９      カバー
１０    スイッチ本体
１１    小螺子
１２    スイッチ一体の化粧部材
１３    バネクリップ
【図１】
0003185197.tif 000003
【図２】
0003185197.tif 000004
【図３】
0003185197.tif 000005
【図４】
0003185197.tif 000006
【図５】
0003185197.tif 000007
【図６】
0003185197.tif 000008
【図７】
0003185197.tif 000009
【図８】
0003185197.tif 000010